(57)【要約】【課題】  効率よく暖房できる床下暖房装置を提供することと、その床下暖房装置を用いて建物内を効率よく暖房できる建物を提供すること。【解決手段】  蓄熱体３と、該蓄熱体３を加熱する加熱装置４を備えてなり、少なくとも蓄熱体３を建物基礎１と建物の床部２１とで囲まれた床下空間Ａに設置して暖房する床下蓄熱暖房装置であって、前記蓄熱体３により温められた空気が建物内の一部の室内Ｂに導入可能になされている。【選択図】        図１
2005274050.tif 000002
【特許請求の範囲】
【請求項１】
蓄熱体と、該蓄熱体を加熱する加熱ヒーターを備えてなり、少なくとも蓄熱体を建物基礎と建物の床部とで囲まれた床下空間に設置して暖房する床下蓄熱暖房装置であって、
前記蓄熱体により温められた空気が建物内の一部の室内に導入可能になされていることを特徴とする床下蓄熱暖房装置。
【請求項２】
蓄熱体と加熱ヒーターは、断熱性の容器に内蔵され、該容器の内部には入口と出口を備えた空気の通路が形成され、前記入口を通って容器外から前記通路に取り入れられた空気が、加熱された蓄熱体表面に接して熱交換され、前記出口から流出され、建物内の一部の室内に導入可能になされていることを特徴とする請求項１記載の床下蓄熱暖房装置。
【請求項３】
請求項１又は２記載の床下蓄熱暖房装置が、建物基礎と建物の床部とで囲われた床下空間に設置された建物であって、建物基礎は、外周部分を囲む基礎立上部と、該基礎立上部の内側に形成された建物下面を覆う基礎底部とからなり、基礎立上部と基礎立上部近傍の基礎底部が断熱材で覆われており、建物の一部の室内が床下空間と連通可能とされていることを特徴とする建物。
【請求項４】
建物内または屋外の空気を吸い込んで床下空間へ供給する吸気口と、床下空間の空気を建物内の一部の室内に吐出する吐出口とが設けられ、吸気口から吸入された空気が蓄熱体表面に接して熱交換された後、吐出口に導かれるように、空気の通路が形成されていることを特徴とする請求項３記載の建物。
【請求項５】
建物内の一部の室内が、洗面化粧室、台所、廊下等の非居室空間であることを特徴とする請求項３又は４記載の床下蓄熱暖房装置。
【請求項６】
洗面化粧室、台所、廊下等以外の居室空間は、床下蓄熱暖房装置とは別の空調装置にて暖房可能とされていることを特徴とする請求項５記載の建物。
【発明の詳細な説明】
【技術分野】
【０００１】
この発明は、床下蓄熱暖房装置と、これを備えた建物に関する。
【背景技術】
【０００２】
従来の床下蓄熱暖房装置と、これを備えた建物として、高気密、高断熱の木造住宅等の建物の、基礎立上部（基礎梁）と基礎底部（基礎スラブ）を有するコンクリート基礎の基礎底部内に面状発熱体を埋設するとともに、基礎立上部及び基礎底部の全外周を断熱材で覆うようにしたものがあった。（特許文献１参照）。
【０００３】
しかし、上記公報記載のものにおいては、コンクリート基礎の基礎底部に面状発熱体を埋設したので、この面状発熱体に通電時にはコンクリート基礎が高温に加熱され、非通電時には冷却される。建物内を適温に暖房するためには、基礎底部を高温にする必要があった。
【０００４】
その結果、コンクリートの基礎の加熱・冷却が長時間繰り返されることとなり、コンクリート基礎に亀裂を発生させたり、コンクリート基礎の劣化を促進させるという問題があった。
【０００５】
そこで、出願人は、蓄熱体と、該蓄熱体を加熱する加熱ヒーターを備えたものを、蓄熱体が建物と直接接しないように、建物基礎と建物の床部とで囲まれた床下空間に設置することにより、基礎が劣化することのない床下蓄熱暖房装置と、これを備えた建物を提案した。（特許文献２参照）。
【特許文献１】特開２００１−２０４０３号公報
【特許文献２】特開２００３−２７９０５８号公報
【発明の開示】
【発明が解決しようとする課題】
【０００６】
上記の床下蓄熱暖房装置と、これを備えた建物においては、蓄熱体が建物と直接接しないので、コンクリート基礎に亀裂を発生させたり、コンクリート基礎の劣化を促進させるという問題は解消される。
しかし、建物内の全てを暖房するには、床下に備えた蓄熱体に膨大な熱量を蓄熱しなければならず、装置が大掛かりになって必ずしも経済的でない。
特に、蓄熱体を加熱する加熱ヒーターの熱源として、深夜電力を利用する場合には、深夜中に膨大な熱量を蓄熱できず、建物内の全てを暖房することは難しかった。
【０００７】
この発明は、効率よく暖房できる床下暖房装置を提供することと、その床下暖房装置を用いて建物内を効率よく暖房できる建物を提供することを目的とする。
【課題を解決するための手段】
【０００８】
請求項１記載の発明の床下暖房装置は、蓄熱体と、該蓄熱体を加熱する加熱ヒーターを備えてなり、少なくとも蓄熱体を建物基礎と建物の床部とで囲まれた床下空間に設置して暖房する床下蓄熱暖房装置であって、前記蓄熱体により温められた空気が建物内の一部の室内に導入可能になされていることを特徴とする。
【０００９】
請求項２記載の発明の床下蓄熱暖房装置は、請求項１記載の床下蓄熱暖房装置において、蓄熱体と加熱ヒーターは、断熱性の容器に内蔵され、該容器の内部には入口と出口を備えた空気の通路が形成され、前記入口を通って容器外から前記通路に取り入れられた空気が、加熱された蓄熱体表面に接して熱交換され、前記出口から流出され、建物内の一部の室内に導入可能になされていることを特徴とする。
【００１０】
請求項３記載の発明の建物は、請求項１又２記載の床下蓄熱暖房装置が、建物基礎と建物の床部とで囲われた床下空間に設置された建物であって、建物基礎は、外周部分を囲む基礎立上部と、該基礎立上部の内側に形成された建物下面を覆う基礎底部とからなり、基礎立上部と基礎立上部近傍の基礎底部が断熱材で覆われており、建物の一部の室内が床下空間と連通可能とされていることを特徴とする建物。
【００１１】
請求項４記載の発明の建物は、請求項３記載の建物において、建物内または屋外の空気を吸い込んで床下空間へ供給する吸気口と、床下空間の空気を建物内の一部の室内に吐出する吐出口とが設けられ、吸気口から吸入された空気が蓄熱体表面に接して熱交換された後、吐出口に導かれるように、空気の通路が形成されていることを特徴とする。
【００１２】
請求項５記載の発明の床下蓄熱暖房装置は、請求項３又は４記載の床下蓄熱暖房装置において、建物内の一部の室内が、洗面化粧室、台所、廊下等の非居室空間であることを特徴とする。
【００１３】
請求項６記載の発明の建物は、請求項５記載の建物において、洗面化粧室、台所、廊下等以外の居室空間は、床下蓄熱暖房装置とは別の空調装置にて暖房可能とされていることを特徴とする。
【００１４】
これらの発明において、使用する蓄熱体としては、無機の蓄熱体が劣化せず寿命の面からよい。また、蓄熱体は顕熱蓄熱体と潜熱蓄熱体の２種類がある。
顕熱蓄熱体は、熱容量の大きな材料をいい、温度を上げたり下げたりするのに大量の熱量を要するが、温度が下がったり上がったりする際に大量の熱量を放出するものであり、大量の熱を蓄えることの材料である。
【００１５】
このような顕熱蓄熱体としては、高温に耐えられるような、石、砂利、砂、レンガ、コンクリートブロック等が好適に用いられる。
【００１６】
また、潜熱蓄熱体は、暖房する温度近傍で相変化を起こし、この相変化をする際に大量の熱量を吸収したり放出するものであり、この相変化近傍で極めて大量の熱を蓄えることができる材料である。
この相変化には、気体と液体との間の相変化や、液体と固体との間の相変化や、気体と固体との間の相変化があるが、液体と固体との間の相変化を利用すると取り扱い易いので、多く使用される。この固体から液体に相変化するのが溶解であり、通常、固化する固化温度と液化する誘拐温度とは略同じである。
【００１７】
このような潜熱蓄熱体としては、塩化カルシウム６水塩、硫酸ナトリウム１０水塩、酢酸ナトリウム３水塩、パラフィン類、脂肪酸エステル、脂肪酸アルコール、オレフィン樹脂等があげられる。
これらの潜熱蓄熱体は融解温度（固化温度）以上では液状になるので、密閉容器の中に封じ込めて使用することが好ましい。
【００１８】
加熱ヒーターとしては、電熱線ヒーター、面状の電気発熱体、ＣＯ2 ヒートポンプ等を使用することができる。
また、蓄熱体を効率よく加熱するため、加熱ヒーターを蓄熱体に内蔵してもよい。
【００１９】
請求項１記載の発明等において、蓄熱体により温められた空気が建物内の一部の室内に導入するには、床部に開閉自在なガラリ又は開閉弁を設け、必要に応じて開閉するようにするのが好ましい。
また、請求項５記載の発明においても、吐出口も床部に開閉自在なガラリ又は開閉弁を設け、必要に応じて開閉するようにするのが好ましい。
【発明の効果】
【００２０】
請求項１記載の発明の床下蓄熱暖房装置にあっては、蓄熱体により温められた空気が建物内の一部の室内に導入可能になされているので、床下蓄熱暖房装置にて建物内の一部の室内を主として暖房することになる。
建物のその他の室内は別途暖房することができ、その装置が大掛かりにならず、例えば、蓄熱体を加熱する加熱ヒーターの熱源として、深夜電力等の低額の熱源を利用することが可能となり、経済的である。
【００２１】
請求項２記載の発明の床下蓄熱暖房装置にあっては、蓄熱体と加熱ヒーターは、断熱性の容器に内蔵され、該容器の内部には入口と出口を備えた空気の通路が形成され、前記入口を通って容器外から前記通路に取り入れられた空気が、加熱された蓄熱体表面に接して熱交換され、前記出口から流出され、建物内の一部の室内に導入可能になされているので、床下空間に設置しさえすれば、建物内の一部の室内を暖房することになる。
建物のその他の室内は別途暖房することができ、その装置が大掛かりにならず、例えば、蓄熱体を加熱する加熱ヒーターの熱源として、深夜電力等の低額の熱源を利用することが可能となり、経済的である。
【００２２】
請求項３記載の発明の建物にあっては、請求項１又は２記載の床下蓄熱暖房装置が床下空間に設置された建物であるから、上記請求項１又は２記載のものと同じ効果を奏する。  そして、基礎立上部と基礎立上部近傍の基礎底部が断熱材で覆われており、建物の一部の室内が床下空間と連通可能とされているので、建物基礎の断熱性が高められ、床下蓄熱暖房装置で熱交換された空気の熱が外部に逃げにくくなる。
【００２３】
請求項４記載の発明の建物にあっては、建物内または屋外の空気を吸い込んで床下空間へ供給する吸気口と、床下空間の空気を建物内の一部の室内に吐出する吐出口とが設けられ、吸気口から吸入された空気が蓄熱体表面に接して熱交換された後、吐出口に導かれるように、空気の通路が形成されているので、床下空間の温かい空気が吐出口から建物内の一部の室内に吐出され、効率的に暖房される。
【００２４】
請求項５記載の発明の床下蓄熱暖房装置にあっては、建物内の一部の室内が、洗面化粧室、台所、廊下等の比較的暖房熱源が少なくて済む通常人がいない小さな空間である非居室空間であるので、その装置が大掛かりにならず、例えば、蓄熱体を加熱する加熱ヒーターの熱源として、深夜電力等の低額の熱源を利用することが可能となり、経済的である。      
【００２５】
請求項６記載の建物にあっては、洗面化粧室、台所、廊下等以外の居室空間は、床下蓄熱暖房装置とは別の空調装置にて主として暖房され、床下蓄熱暖房装置と、別の空調装置との併用によって建物全体が効率的に暖房される。
【発明を実施するための最良の形態】
【００２６】
この発明を実施するための最良の形態を図面を参照して説明する。
【実施例１】
【００２７】
図１は、この発明の床下蓄熱暖房装置と、それを備えた建物の一例を示す部分縦断面図である。
図１において、１は基礎、２は建物本体、３は蓄熱体、４は暖房空調室外機、５は断熱材の立上部、６は断熱材の横敷部、７は空調機、８は吐出口、９はファンである。
【００２８】
基礎１は、鉄筋を配したコンクリート製であって、外周部分を囲む立上部１１と、この立上部１１の内側に連続して形成された底部１２とからなる。
立上部１１の内側と底部１２の上面には、それぞれ断熱材の立上部５、断熱材の横敷部６で覆われている。この断熱材の立上部５、断熱材の横敷部６は、板状ポリスチレンフォーム、グラスウール、ロックウール等が使用される。
【００２９】
基礎１の上には、建物本体２が設けられている。
建物本体２の床部２１が基礎１の上部を覆って床下空間Ａが形成されている。
この床下空間Ａ内の断熱材の横敷部６上に、石、砂利、砂、レンガ、コンクリートブロック等から選ばれた蓄熱体３が載置されている。
そして、暖房空調室外機４に設けられたヒーター（図示省略）に加熱された空気が床下空間Ａ内に導入されて蓄熱体３が蓄熱されるようになっている。暖房空調室外機４に設けられたヒーターの熱源としては、深夜電力を利用して、夜間に蓄熱体３が蓄熱されるようになっている。
【００３０】
建物本体２においては、外壁２２と壁２３に囲まれて室内空間Ｂ、Ｃが形成されている。
室内空間Ｂは、洗面化粧室、台所、廊下等の通常人がいない小さな空間である非居室空間であり、室内空間Ｃは、居間、寝室等の居室空間である。
【００３１】
非居室空間Ｂの床部２１には吐出口８が設けられ、開閉自在なガラリ又は開閉弁８３が設けられており、ガラリ又は開閉弁８３を開口したときには、床下空間Ａ内の蓄熱体３により加熱された空気が、ファン９により非居室空間Ｂに送られて直接室内空間Ｂを暖房するようになっている。
なお、ガラリ又は開閉弁８３が閉じられているときは、床下空間Ａ内の加熱された空気が室内空間Ｂ、Ｃの床部２１を暖め、室内空間Ｂ、Ｃを間接的に暖房している。
【００３２】
開閉自在なガラリ又は開閉弁８３の開閉は、非居室空間Ｂに人がいないときには開閉自在なガラリ又は開閉弁８３を閉じて、非室内空間Ｂに人が入ったときには開口するのがよい。この際暖かい床下空間Ａの空気が直接小さな空間の非室内空間Ｂに入ってくるので、非室内空間Ｂは直ぐにより暖かい状態になるが、床下空間Ａから抜ける暖かい空気は床下空間Ａの一部にすぎず温度低下は少ない。
なお、開閉自在なガラリ又は開閉弁を設けず、常時吐出口８を開口させていてもよい。      
【００３３】
居間、寝室等の居室空間Ｃは、床部２１を介して床下空間Ａ内の蓄熱体３により加熱された空気によっても間接的に暖房されるが、主としてその室内に設置された空調機により暖房されるようになっている。
【００３４】
この実施例の床下蓄熱暖房装置と、それを備えた建物にあっては、蓄熱体３により温められた空気が建物本体２内の一部の非居室空間Ｂに導入可能になされ、建物本体２のその他の居室空間Ｃは空調機７で別途暖房するようにした。
そのため、床下蓄熱暖房装置が大掛かりにならず、例えば、蓄熱体３を加熱する加熱ヒーターの熱源として、深夜電力等の低額の熱源を利用した暖房空調室外機４を使用することが可能となり、建物本体２の暖房が全体として経済的に行われる。
【実施例２】
【００３５】
図２は、この発明の床下蓄熱暖房装置と、それを備えた建物の他の実施例を示す部分縦断面図である。
図２において、図１に示すものと実質的に同じものについては同符号で示し、説明を省略する。
【００３６】
蓄熱体３１中に夜間は深夜電力を利用する電気式加熱ヒーター４１が内蔵されており、開口可能な密封容器１０内に収納され、断熱材６１を介して床下空間Ａ内の基礎１の底部１２上に設置されている。
【００３７】
基礎１の上に設けられた建物本体２の非居室空間の室内空間Ｂの床部には、吐出口８１と吸気口８２が設けられ、この吐出口８１と吸気口８２とは、ダクト１０１、１０２により密封容器に接続されている。
【００３８】
建物内または屋外の空気を吸い込んで床下空間へ供給する吸気口８２からの空気が蓄熱体３１の表面に接して熱交換された後、吐出口８１に導かれるように、空気の通路が形成されている。
【００３９】
なお、吐出口８１と給気口８２に、開閉自在なガラリや開閉弁を設けて、必要時に開け、室内空間Ｂに暖気を送って暖房するようにしてもよい。また、吐出用ファンや吸気用ファンを設けてもよい。
【００４０】
この実施例の床下蓄熱暖房装置と、それを備えた建物にあっては、蓄熱体３１により温められた空気が建物本体２内の一部の洗面化粧室、台所、廊下等の通常人がいない小さな空間である非居室空間Ｂに、ダクト１０１、１０２を通して導入可能になされ、建物本体２のその他の居室空間Ｃは空調機７で別途暖房するようにした。
そのため、床下蓄熱暖房装置が大掛かりにならず、例えば、蓄熱体３１を加熱する加熱ヒーター４１の熱源として、深夜電力等の低額の熱源を利用することが可能となり、建物本体２の暖房が全体として経済的に行われる。
なお、床下空間Ａを温めるために、密封容器１０に床下空間ＡＵ  開口する小さな通孔を設けて、密封容器１０内で高温になった空気が僅かずつ床下空間Ａ内に自然に流出するようにしてもよい。
【産業上の利用可能性】
【００４１】
この発明によれば、床下蓄熱暖房装置により、建物の一部の室内が特に選択的に暖房できるので効率的に建物を暖房できる。
【図面の簡単な説明】
【００４２】
【図１】この発明の床下蓄熱暖房装置と、それを備えた建物の一例を示す部分縦断面図である。
【図２】この発明の床下蓄熱暖房装置と、それを備えた建物の他の実施例を示す部分縦断面図である。
【符号の説明】
【００４３】
１        基礎
２        建物
３、３１  蓄熱体
４        暖房空調室外機（加熱ヒーター）
４１      加熱ヒーター
５、６、６１    断熱材
８、８１        吐出口
Ａ        床下空間
Ｂ        非居室空間
Ｃ        居室空間
【図１】
2005274050.tif 000003
【図２】
2005274050.tif 000004